(57)【特許請求の範囲】
【請求項１】
車両のための照明装置、特に、シグナルライトであって、この照明装置が、
光束の放射のための光源と、予め与えられた照明機能の形成のための、この光源に所属して設けられた光学ユニットとを備えており、
この光学ユニットが、ホログラム要素と、主放射方向においてこのホログラム要素の前方に設けられた照明ディスクとを有する上記照明装置において、
前記ホログラム要素（Ｈ１、Ｈ２、Ｈ３、Ｈ４、Ｈ５）が、
前記光源（１）から前記ホログラム要素（Ｈ１、Ｈ２、Ｈ３、Ｈ４、Ｈ５）に照射する前記光束（３）が予め与えられた照明パターンに相応して変化され、従って、ホログラム光束が前記照明機能の形成のために前記照明ディスク（２、１２）の予め与えられた照明面（７、１７、１７′、１７″）を照明するような、回折構造を有していること、
その際、
複数の照明面（１７、１７′、１７″）が、互いに並列して設けられており、これら照明面に、それぞれに、ただ１つのホログラム要素（Ｈ２、Ｈ３、Ｈ４）、および、ただ１つの光源（１）が所属して設けられており、それぞれに、これらホログラム要素（Ｈ２、Ｈ３、Ｈ４）から放射されたホログラム光束（１６、１６′、１６″）が、同じ鋭角の開口角（ΦＨ２、ΦＨ３、ΦＨ４）のもとで、または、所定の開口角範囲において放射されるか、または、
複数の照明面（１７、１７′、１７″）が設けられており、これら照明面に、ただ１つのホログラム要素（Ｈ５）、および、このホログラム要素に対して異なる角度において設けられた幾つかの光源（１）が所属して設けられており、ホログラム光束（２６）が、鈍角の開口角（ΦＨ５）のもとで、前記照明面（１７、１７′、１７″）の方向に放射可能である、
ことを特徴とする照明装置。
【請求項２】
前記照明ディスク（２、１２）の前記照明面（７、１７、１７′、１７″）は、少なくとも１つのシグネチャー面として、有利には、線状のシグネチャー面として、形成されていること、
このシグネチャー面に、縁部側で、前記照明ディスク（２、１２）の少なくとも１つの非シグネチャー面が接続し、前記非シグネチャー面が、前記ホログラム光束（６、１６、１６′、１６″）によって照射されないことを特徴とする請求項１に記載の照明装置。
【請求項３】
前記照明ディスク（２、１２）の前記照明面（７、１７、１７′、１７″）は、
グラフィカル的なパターン、特に、線、点、または、多角形、を備えるグラフィカル的なシグネチャー面として、または、
多部材より成るグラフィカル的なシグネチャー面として、特に、複数の線状のシグネチャー面が互いに間隔をおいて設けられている、多部材より成る線状のシグネチャー面として、形成されていることを特徴とする請求項２に記載の照明装置。
【請求項４】
前記照明ディスク（２、１２）の前記照明面（７、１７、１７′、１７″）は、長く延びた照明成形体（８）内において一体にまとめられており、この照明成形体が、前記シグネチャー面の方向に延在していることを特徴とする請求項２または３に記載の照明装置。
【請求項５】
前記照明面（７、１７、１７′、１７″）が、拡散光学要素を備えており、これら拡散光学要素が、侵食加工、または、エッチング加工、または、レーザー加工、または、フライス加工によって製造され得ることを特徴とする請求項１から４のいずれか一つに記載の照明装置。
【請求項６】
前記照明ディスク（２、１２）は、照明ハウジングを閉鎖するカバーディスクとして形成されており、この照明ハウジング内において、前記光源（１）と前記ホログラム要素（Ｈ１、Ｈ２、Ｈ３、Ｈ４、Ｈ５）とから形成された、照明ユニットが設けられていることを特徴とする請求項１から５のいずれか一つに記載の照明装置。
【請求項７】
前記非シグネチャー面（１０）、及び／または、前記照明成形体（８）の側面（９）には、前記拡散光学要素がないことを特徴とする請求項４に記載の照明装置。
【請求項８】
前記照明面（７、１７、１７′、１７″）に、第２の付加的なホログラム要素が所属して設けられており、この第２の付加的なホログラム要素が、
そのホログラム構造に照射する光がランベルトの法則に相応して散乱され且つ付加的なホログラム光束として更に放射されるような、該ホログラム構造を有していることを特徴とする請求項１から７のいずれか一つに記載の照明装置。
【請求項９】
前記ホログラム要素（Ｈ１、Ｈ２、Ｈ３、Ｈ４、Ｈ５）は、体積ホログラム要素として形成されており、この体積ホログラム要素を用いて、前記ホログラム光束（６、１６、１６′、１６″）が、このホログラム光束の所定の角度領域及び／またはスペクトル領域内において、回折され、従って、予め与えられた照明機能が形成可能であることを特徴とする請求項１から８のいずれか一つに記載の照明装置。
【請求項１０】
前記ホログラム要素（Ｈ１、Ｈ２、Ｈ３、Ｈ４、Ｈ５）は、表面ホログラム要素として、または、フィルムの様式の、または、ガラスディスクの様式の、または、合成物質−付加ディスクの様式の、回折的な光学機器として形成され、
このホログラム要素を用いて、前記光束（６、１６、１６′、１６″）が、この光束の所定の角度領域及び／またはスペクトル領域内において回折され、従って、予め与えられた照明機能が形成され得ることを特徴とする請求項１から８のいずれか一つに記載の照明装置。
【請求項１１】
前記表面ホログラム要素は、前記ホログラム構造を有するホログラムフィルム、または、前記ホログラム構造を有する射出成形部材を備えており、
この表面ホログラム要素を用いて、前記光束（６、１６、１６′、１６″）が、この光束の所定の角度領域及び／またはスペクトル領域内において回折され、従って、予め与えられた照明機能が形成され得ることを特徴とする請求項１０に記載の照明装置。
【請求項１２】
前記ホログラム要素（Ｈ１、Ｈ２、Ｈ３、Ｈ４、Ｈ５）は、前記光源（１）へよりも大きな、前記照明ディスク（２、１２）への間隔（ａ）を有していることを特徴とする請求項１から１１のいずれか一つに記載の照明装置。
【請求項１３】
前記照明ハウジング内において、別の光源、および、別の光学要素から成る照明ユニットが、別の照明機能の形成のために設けられていることを特徴とする請求項１から１２のいずれか一つに記載の照明装置。
【発明の詳細な説明】
【技術分野】
【０００１】
本発明は、車両のための照明装置、特に、シグナルライトに関し、この照明装置が、
光束の放射のための光源と、予め与えられた照明機能の形成のための、この光源に所属して設けられた光学ユニットとを備えており、
その際、この光学ユニットが、ホログラム要素と、主放射方向においてこのホログラム要素の前方に設けられた照明ディスクとを有している。
【背景技術】
【０００２】
特許文献１から、車両のための照明装置が公知であり、この照明装置は、光学ユニットとして、光源、並びに、ロッド形状の光導体を有している。
このロッド形状の光導体は、線状の光射出面を備えており、従って、予め与えられた照明機能が生じされ得る。高価値の外観、および、照明機能の、例えばテールランプ機能の、ブランド特有の実現の達成のために、光導体の光射出面の、均一な照明は必要である。
この目的のための光学的な手間暇は比較的に多くかかる。何故ならば、光導体のような光学的な手段、照明ディスク（Ｌｉｃｈｔｓｃｈｅｉｂｅｎ）、および、特に多数のＬＥＤ光源が、所望された均一な照明を達成するために、互いに適合されねばならないからである。特に、この公知の照明装置に従い、光る面を、照明ハウジングをカバーする照明ディスク内において形成することは、可能ではない。
【０００３】
特許文献２から車両のための照明装置が公知であり、この照明装置は、一方では、光源を、および、他方では、光分布を生じさせるための光学ユニットを有している。
この光学ユニットは、レフレクター、照明ディスク、レンズ、並びに、ホログラム要素を備えており、従って、照明機能が、一方では、直接的に光源からホログラム要素の方向に発信された光束によって、および、他方では、レフレクターにおいて反射された光束によって生じさせられる。このホログラム要素は、透明の板の上に附設されている。
この公知の照明装置において、多数の異なる光学的な要素に由来するこの光学ユニットの高い複雑性は、欠点である。従って、所定の照明機能は、基本的に、光学的な手段である、レフレクターおよびレンズによって提供され、その際、ホログラム要素には、単に、補助機能があるにすぎない。
【先行技術文献】
【特許文献】
【０００４】
【特許文献１】ドイツ連邦共和国特許出願公開第１０  ２０１３  １００  ５６１号明細書
【特許文献２】特開平１０−２２３００６号公報
【発明の概要】
【発明が解決しようとする課題】
【０００５】
本発明の課題は、車両のための照明装置を、減少された手間暇でもって、特に、減少された数の光源でもって、信号機能の形成のための均一に光る面が達成されるように、改良することである。
【課題を解決するための手段】
【０００６】
この課題を解決するために、本発明は、請求項１の特徴と関連して、
ホログラム要素が、光源からホログラム要素に照射する光束が予め与えられた照明パターンに相応して変化され、従って、ホログラム光束が照明機能の形成のために照明ディスクの予め与えられた照明面を照明するような、回折構造を有していること、
その際、
複数の照明面が、互いに並列して設けられており、これら照明面に、それぞれに、ただ１つのホログラム要素、および、ただ１つの光源が所属して設けられており、それぞれに、これらホログラム要素から放射されたホログラム光束が、同じ鋭角の開口角のもとで、または、所定の開口角範囲において放射されるか、または、
複数の照明面が設けられており、これら照明面に、ただ１つのホログラム要素、および、このホログラム要素に対して異なる角度において設けられた幾つかの光源が所属して設けられており、ホログラム光束が、鈍角の開口角のもとで、照明面の方向に放射可能である、
ことによって特徴付けられる。
【発明の効果】
【０００７】
本発明に従い、ホログラム要素は、照明ディスクの照明面の上で、均一な感じを与える照明パターンの提供を生起する。
このホログラム要素は、光源から放出された光束が予め与えられた照明パターンに相応して照明ディスクの照明面へと方向転換されるような、回折構造を有している。有利には、このことによって、光輝面、光るシグネチャー、および、外観が形成される。このホログラム要素は、予め与えられた照明面の、所定の照明のためのビームシェーパー（Ｓｔｒａｈｌｆｏｒｍｅｒ）としての役目を果たす。
この照明パターンを特徴付ける光分布情報は、このホログラム要素内において備えられている。照明ディスクの上への光分布は、従って、専ら、ホログラム要素だけによって生起される。この照明装置は、これに伴って、比較的に少ない光学的な手段を必要とし、従って、この光学ユニットが、コンパクトに保持され得る。更に、光源の数は、減少され得る。
【０００８】
本発明の有利な実施形態に従い、照明ディスクの照明面は、シグネチャー面として、特に、線状のシグネチャー面として形成されており、このシグネチャー面が、少なくとも、ホログラム光束が照射しない１つの非シグネチャー面によって区画されている。ホログラム要素の構成に依存して、このシグネチャー面は、ただ１つの面として、または、複数の部分面から成っていることは可能である。
このシグネチャー面は、同様に、例えば、ロゴ、グラフィック、反復するパターン（複数の点、複数の線、複数の多角形、等）の様式のグラフィカル的な型押し加工部を有していることも可能である。信号機能の様式上の諸要件に依存して、このことによって、可変の外観、並びに、均一な照明が提供され得る。
【０００９】
本発明の更なる構成に従い、照明ディスクの照明面は、成形された状態で形成され得る。
特に、この照明面が、照明ディスクの平面から立ち上がる照明帯状体として形成されている場合、照明装置の３次元的な外観が与えられる。この照明装置の３次元的な印象、もしくは、奥行きの印象を促進する特性は、ホログラム要素が人の目にとっては不可視であるほどに小さな光学的な構造を有していることから、結果として生じる。このホログラム要素は、従って、照明ハウジングの奥行きの印象が阻害されること無しに、この照明装置の照明ハウジングの内側に位置決めされ得る。
特に、非シグネチャー面が、拡散光学要素の無い、例えば透明な場合、奥行き作用を有する照明ハウジングは提供される。
【００１０】
本発明の更なる構成に従い、照明面は、拡散光学要素を備えており、これら拡散光学要素が、特に、侵食加工、または、エッチング加工、または、レーザー加工、または、フライス加工によって製造され得る。
この照明面は、これに伴って散乱作用を生じさせ、従って、所望された信号機能のための、例えば、テールランプ、ストップランプ、ターンシグナルランプ、リアフォグランプ、または、バックアップランプのための、光度値は提供される。照明の作動状態において、観察者は、単に照明ディスクの照らし出された照明面だけを目視する。
【００１１】
本発明の更なる構成に従い、複数の照明面は、有利には、互いに並列して設けられており、これら照明面に、それぞれに、ただ１つのホログラム要素、並びに、それぞれに、ただ１つの光源が所属して設けられていることは可能である。
有利には、このことによって、長く延びたシグネチャー面が形成され得、このシグネチャー面は、例えば、３次元的な空間内において延在している。
【００１２】
本発明の更なる構成に従い、複数の円弧内において延在する照明面に、ただ１つのホログラム要素だけが所属して設けられており、このホログラム要素は、照明面のために必要な全ての照明情報を備えている。
必要な輝度を生じさせるために、このただ１つのホログラム要素に、複数の光源が所属して設けられている。
【００１３】
本発明の更なる構成に従い、照明面に、第２のホログラム要素が所属して設けられており、この第２のホログラム要素は、第１のホログラム要素において回折され、且つ、第２のホログラム要素に到達する光が同様にこの第２のホログラム要素によって回折されるような、照明幾何学的形状、および、スペクトルの受容を有している。
この第２のホログラム要素は、光が、ランベルトエミッタ（Ｌａｍｂｅｒｔｓｃｈｅｎ  Ｓｔｒａｈｌｅｒ）に相応して散乱され、且つ、付加的なホログラム光束として更に放射されるような、ホログラム構造を有している。この第２のホログラム要素のランベルト放射特性（Ｌａｍｂｅｒｔｓｃｈｅ  Ｓｔｒａｈｌｃｈａｒａｋｔｅｒｉｓｔｉｋ）によって、この第２のホログラム要素において散乱された光は、異なる観察方向から、同じ明るさとして知覚される。このようにして、照明面７内における、従来の拡散光学要素の一体化はしなくて良い。
【００１４】
本発明の更なる構成に従い、ホログラム要素は、体積ホログラム要素として形成されており、この体積ホログラム要素を用いて、ホログラム光束が、所定の角度領域及び／またはスペクトル領域内において、回折される。
【００１５】
本発明の更なる構成に従い、ホログラム要素は、有利には、フィルムの様式の表面ホログラム要素として、または、射出成形部材（付加ディスク）として形成され、このホログラム要素を用いて、光束が、所定の角度領域及び／またはスペクトル領域内において回折される。
【００１６】
本発明の更なる構成に従い、ホログラム要素は、回折的な光学要素として、フィルムの上で、または、ガラスディスクの上で、または、合成物質−付加ディスクの上で構成され、このホログラム要素を用いて、光束が、所定の角度領域及び／またはスペクトル領域内において回折される。
【００１７】
本発明の更なる構成に従い、ホログラム要素は、光源へよりも大きな、照明ディスクへの間隔を有している。
有利には、制限された開口角のもとで放射されるホログラム光束は、比較的に幅広の照明面を形成可能である。
【００１８】
本発明の更なる利点は、更に別の従属請求項から与えられえる。
【００１９】
本発明の実施例を、以下で、図に基づいて詳しく説明する。
【図面の簡単な説明】
【００２０】
【図１】本発明の第１の実施形態による、ホログラム要素と、照明ディスク内において一体にまとめられた照明面とを備える照明装置の、横前方から見ての透視図である。
【図２】ホログラム要素の、複数の照明面、および、それぞれに所属して設けられた光源を備える、第２の実施形態による照明装置の透視的な正面図である。
【図３】図２に従う、照明装置の側面図である。
【図４】複数の照明面７に所属して設けられた、ただ１つのホログラム要素を備える、第３の実施形態による照明装置の透視的な正面図である。
【発明を実施するための形態】
【００２１】
本発明に従う照明装置は、車両のリアエンド領域およびフロントエンド領域において、光分布の形成のために設けられ得る。例えば、この照明装置は、テールランプ機能、ストップランプ機能、ターンシグナルランプ機能、リアフォグランプ機能、または、バックアップランプ機能の形成のための、リアエンド領域内におけるシグナルライトとして構成され得る。
【００２２】
図１に従うこの照明装置の第１の実施形態により、この照明装置は、１つの照明ユニットによって形成されており、この照明ユニットが、光源１、ホログラム要素Ｈ１、および、照明ディスク２を有している。
この光源１は、ＬＥＤ光源、または、レーザーダイオードとして形成され得る。この光源１は、半導体ベースの光源として形成されており、この光源から、いわば点形状で、光束３が、ホログラム要素Ｈ１の後方の平らな側面４の方向に放射される。
【００２３】
ホログラム要素Ｈ１は、平面状、及び／または、板状に形成されており、その際、ホログラムフィルム、もしくは、ホログラム被膜が、透明な、十分に剛性の担持面の上に付着されている。この担持体は、フィルム、または、板であることは可能である。
このホログラムフィルム、もしくは、ホログラム被膜は、光学的に透明な被覆塗料、及び／または、光学的に透明な粘着剤、または、更に別のフィルム、または、更に別の板によって、ホログラム要素Ｈ１内に一体にまとめられることは可能である。このホログラム要素Ｈ１は、後方の平らな側面４に対して平行に延在する前方の平らな側面５を有しており、この前方の平らな側面から、ホログラム光束６が、照明ディスク２の照明面７の方向に放射される。
【００２４】
ホログラム要素Ｈ１は、光源１から照射する光束３が予め与えられた照明パターンに相応して変化されるような回折構造、もしくは、ホログラム構造を有しており、従って、ホログラム光束６が全照明面７を照射し（ｅｒｆａｓｓｔ）、且つ、予め与えられた、例えば、テールランプの、照明機能の形成の役目を果たす。このホログラム要素Ｈ１は、反射的な光学要素よりも小さな光学的な構造を有している。
ホログラム要素Ｈ１の、特に、回折条件の支配下にない方向に関する、光学的な構造は、観察者のために認識可能ではなく、従って、このホログラム要素Ｈ１が、観察者のために、ほぼ不可視である。このホログラム要素Ｈ１内において、照明ディスク２、もしくは、照明パターンの照明面７のための光分布情報が記録されている。
照明面７は、光るシグネチャー面（Ｓｉｇｎａｔｕｒｆｌａｅｃｈｅ）としての役目を果たし、このシグネチャー面から、光６が、照明面の構造付与に基づいて拡散して放射される。照明ディスク２は、主放射方向において、このホログラム要素Ｈ１の前方に設けられている。
【００２５】
ホログラム要素Ｈ１は、有利には、ホログラム光学的な要素（ＨＯＥ）として形成されており、このホログラム光学的な要素が、回折的で光学的な要素のクラスに所属している。
回折的で光学的な要素は、従来の反射的で光学的な要素と比較して、明確に、より小さな光学的な構造によって特徴付けられ、これら光学的な構造が、光を、制限されたスペクトル領域および角度領域内において回折する。
これら回折的で光学的な要素は、格子−、レンズ−、ミラー、ビームスプリッター、カラーフィルター、散乱体として、または、これらの組み合わせとして構成され得る。
【００２６】
有利には、ホログラム要素Ｈ１は、体積ホログラム要素（Ｖｏｌｕｍｅｎｈｏｌｏｇｒａｍｍｅｌｅｍｅｎｔ）として形成されており、この体積ホログラム要素が、図１に従う実施例において、体積透過ホログラム要素として存在している。この体積ホログラム要素は、エマルジョンとして、または、ホログラムフィルムとして形成されている。
有利には、このホログラム要素Ｈ１は、フィルムの様式のフォトポリマーとして形成されている。この体積ホログラム要素は、比較的に厚いホログラムとして形成されている。何故ならば、この体積ホログラム要素の格子定数（Ｇｉｔｔｅｒｋｏｎｓｔａｎｔｅ）ｇが、常に、フィルム材料の厚さｄよりも小さいからである。このホログラム要素Ｈ１の厚さｄと使用される波長λとから与えられる積は、格子定数ｇの２乗よりも著しく大きい、参照：λ×ｄ≫ｇ２。
【００２７】
格子定数ｇが比較的に小さく、最大限で、光の波長λの領域内にあるので、格子構造は、人間にとってはほとんど不可視である。
ホログラム要素Ｈ１が、フィルムとして形成されている場合、このフィルムは、例えば、深絞り成形によって予成形され得る。このフィルムは、次いで、射出成形工具内へと入れられ、且つ、次いで、透明の材料によって上塗りされ、従って、ホログラム要素Ｈ１が、１つの平面内において延在する、剛性で透明の板として提供される。
【００２８】
選択的に、ホログラム要素フィルムは、同様に、後から追加して、透明の担持ディスクの上に、貼り付けされ得、または、例えば、超音波溶接によって、溶接され得る。
【００２９】
ホログラム要素Ｈ１において、光束３は、所定の、制限された角度領域およびスペクトル領域のもとで回折され、且つ、ホログラム光束６として照明面７の方向に放射される。
【００３０】
照明面７は、照明ディスク２の構成要素である。この照明面は、一体的に、この照明ディスク２と結合されている。
本実施例において、照明面７は、照明成形体８として形成されており、この照明成形体が、水平方向において、１つの円弧に沿って延在している。この照明成形体８は、照明ディスク２の残りの部分に対して隆起して、設けられている。この照明成形体８は、帯片状に延在している。この照明成形体８は、対向して位置している、前方へと突出する側面９を有しており、これら側面の前方の縁部が照明面７を区画している。
【００３１】
本実施形態に従い、専ら、シグネチャー面を形成する照明面７は、侵食加工（Ｅｒｏｄｉｅｒｅｎ）、または、エッチング加工、または、レーザー加工、または、フライス加工によって製造される、拡散光学要素だけを備えており、従って、この照明面に照射するホログラム光束６が、予め与えられた光分布光分散の形成のために、再び散乱される。
照明成形体８の側面９のような、隣接する部分、並びに、照明ディスク２の比較的に大きな容積の、基本的に垂直方向面内において延在する基礎面１０は、拡散光学要素を備えているのではなく、むしろ、ガラスのように澄明に、または、着色されて形成されている。
【００３２】
側面９、並びに、基礎面１０は、照明装置の非シグネチャー面を形成し、この非シグネチャー面に、ホログラム光束６は照射しない。側面９、および、基礎面１０が、光学系の無い状態、もしくは、立体構造の無い状態で構成されていることによって、図示されていないハウジング内において設けられた照明ユニット内における内側の空間は覗き見可能であり、このことは、この照明ユニットの奥行き作用に好都合である。
【００３３】
照明ディスク２は、有利には、照明ユニットのハウジングをカバーする、カバーディスクとして形成されている。
【００３４】
図示されていない、選択的な、本発明の実施形態に従い、照明ハウジング内において、付加的な照明ユニットが設けられていることは可能であり、この付加的な照明ユニットが、更に別の光源、および、更に別の光学ユニットから成っている。
この更に別の照明ユニットは、付加的な照明機能の形成の役目を果たすことは可能である。例えば、この付加的な照明ユニットの光学ユニットは、光導体、及び／または、レフレクター、及び／または、レンズを有していることは可能である。更に別の光源は、例えば、ＬＥＤ光源として形成され得る。
【００３５】
図２および図３に従う、本発明の第２の実施形態により、本発明の第１の実施形態との相違において、１つの照明ユニットが設けられており、この照明ユニットが、複数の、有利には、一体的に互いに結合された照明面１７、１７′、１７″を備える照明ディスク１２を有している。
本実施例において、３つの照明面１７、１７′、１７″が備えられており、これら照明面は、水平方向において相前後して連続して、照明ディスク１２の比較的に長い円弧に沿って延在している。この照明ディスク１２に、照明面１７、１７′、１７″の数と一致する数のホログラム要素Ｈ２、Ｈ３、Ｈ４が所属して設けられており、これらホログラム要素は、照明ユニットの照明ディスク１２と共に、１つの光学ユニットを形成している。これらホログラム要素Ｈ２、Ｈ３、Ｈ４に、それぞれに、１つの光源１が所属して設けられている。
【００３６】
この実施例の同じ構造部材、もしくは、構造部材機能は、同じ参照符号を有している。
【００３７】
照明面１７、１７′、１７″に、従って、それぞれに、ただ１つのホログラム要素Ｈ２、Ｈ３、Ｈ４が所属して設けられており、その際、それぞれに、これらホログラム要素Ｈ２、Ｈ３、Ｈ４から放射されるホログラム光束１６、１６′、１６″は、同じ鋭角の開口角ΦＨ２、ΦＨ３、もしくは、ΦＨ４のもとで、それぞれの照明面１７、１７′、１７″の方向に放射される。
これらホログラム要素Ｈ２、Ｈ３、Ｈ４は、それぞれの照明面１７、１７′、１７″に整向されている。これら照明面１７、１７′、１７″は、互いに隣接しているか、または、オーバラップしている。
本実施例において、これら照明面１７、１７′、１７″は、水平方向において同じ長さを有している。これら照明面１７、１７′、１７″が、異なる水平方向延在を有する場合、ホログラム要素Ｈ２、Ｈ３、Ｈ４の開口角は、同じでないべきであり、これら開口角が、この場合には、所定の開口角範囲の内に、特に、鋭角の開口角範囲の内にあることは可能である。
【００３８】
特に良好に、図３から見て取れるように、ホログラム要素Ｈ２、Ｈ３、Ｈ４は、間隔ａを、照明面１７、１７′、もしくは、１７″へと有しており、この間隔が、ホログラム要素Ｈ２、Ｈ３、Ｈ４からそれぞれの光源１への間隔ｂよりも大きい。それぞれのホログラム要素Ｈ２、Ｈ３、Ｈ４と照明面１７、１７′、１７″との間の間隔ａが大きくなればなるほど、照明されるべき照明面１７、１７′、１７″は、より大きくなる。
第２の実施形態に従う照明ディスク１２は、第１の実施形態に従う照明ディスク２と、基本的に、この照明ディスク１２が、比較的に大きな水平方向延在を有しており、且つ、従って、比較的に大きな照明ハウジングをカバー可能であることによって相違する。
【００３９】
図４に従う、本発明の更に別の実施形態により、第２の実施形態に従う、照明ディスク１２に、単に、ただ１つのホログラム要素Ｈ５だけが所属して設けられている。このホログラム要素Ｈ５に、３つの光源１が所属して設けられており、これら光源は、照明機能のために必要な光束を供給する。このホログラム要素Ｈ５は、ホログラム光束２６が、鈍角の開口角ΦＨ５のもとで、複数の照明面１７、１７′、１７″に対して整向されており、もしくは、放射されるような、ホログラム構造を有している。
有利には、このことによって、ホログラム要素の数は低減され得る。
【００４０】
更に別の、図示されていない、本発明の実施例に従い、付加的に、第２のホログラム要素が設けられていることは可能であり、この第２のホログラム要素が、そのホログラム構造に照射する光源１の光束３が、ランベルトの法則（Ｌａｍｂｅｒｔｓｃｈｅｎ  Ｇｅｓｅｔｚ）に相応して散乱され、且つ、付加的なホログラム光束として、照明面７、もしくは、照明面１７、１７′、１７″の方向に更に導かれるような、ホログラム構造を有している。
この付加的なホログラム光束は、拡散光学要素が、照明面７、もしくは、照明面１７、１７′、１７″の上で設けられなくて済むことが可能なような、照明機能の散乱を可能にする。全照明ディスク２、１２は、従って、光学系の無い状態に、もしくは、立体構造の無い状態に、もしくは、平滑に形成され得、且つ、外側からの照明ハウジング内への覗き見を可能にする。
【００４１】
従って、全照明ディスク２、１２は、照明面７、もしくは、照明面１７、１７′、１７″の包含のもとで、照明されていない状態において、透明な、および、クリアな外観を呈し、これに対して、スイッチをオンされた光源１の場合、照明面７、もしくは、照明面１７、１７′、１７″が、拡散して、且つ、均一に点灯する。
【００４２】
図示されていない、更に別の、本発明の実施例に従い、光源１とホログラム要素Ｈ１，Ｈ２、Ｈ３、Ｈ４、Ｈ５との間に、例えば、比較的に幅広の光束３を、ホログラム要素Ｈ１，Ｈ２、Ｈ３、Ｈ４、Ｈ５の方向に集光するための、一義的な光学要素（Ｐｒｉｍａｅｒｏｐｔｉｋｅｌｅｍｅｎｔ）が設けられ得る。専ら、照明面７、もしくは、照明面１７、１７′、１７″だけが照明されるために、これらホログラム要素Ｈ１，Ｈ２、Ｈ３、Ｈ４、Ｈ５は、この光のための方向転換情報を有している。
【００４３】
本発明の本実施例に従い、照明面７、１７、１７′、１７″は、線状の、グラフィカル的なシグネチャー面として形成されている。
選択的に、または、付加的に、このグラフィカル的なシグネチャー面は、同様に、他のグラフィカル的なパターン、例えば、点、多角形（正方形、矩形、六角形）によって形成され得る。更に、複数のシグネチャー面、もしくは、多部材より成るシグネチャー面を形成することは可能であり、その際、例えば、多部材より成る線状のシグネチャー面が、互いに間隔をおいて設けられていることは可能である。
【００４４】
本発明の前記の実施例において、ホログラム要素Ｈ１，Ｈ２、Ｈ３、Ｈ４、Ｈ５は、表面ホログラム要素（Ｏｂｅｒｆｌａｅｃｈｅｎｈｏｌｏｇｒａｍｍｅｌｅｍｅｎｔ）として形成されており、この表面ホログラム要素において、ホログラム構造が、１つのホログラムフィルム内において一体にまとめられており、このホログラムフィルムが、透明な、且つ、有利には、剛性の担持面の表面に付着されている。
選択的に、このホログラム構造は、同様に、射出成形部材（付加ディスク）内においても、一体にまとめられ得る。選択的に、ホログラム要素は、同様に、フィルムの様式の、または、ガラスディスクの様式の、または、合成物質−付加ディスクの様式の、回折的な光学要素としても形成され得、このホログラム要素を用いて、光束が、この光束の所定の角度領域及び／またはスペクトル領域内において回折され、従って、予め与えられた照明機能が形成される。
【００４５】
前記で述べられた特徴が、それぞれに個別に、または、適宜の組み合わせにおける複数の特徴に使用を見出され得ることは、自明のことである。記載された実施例は、最終の列挙として理解されるべきではなく、むしろ反対に、本発明の記述に関する例示的な特性を有している。
【符号の説明】
【００４６】
１    光源
２、１２    照明ディスク
３    光束
４    後方の平らな側面
５    前方の平らな側面
６、１６、１６′、１６″、２６    ホログラム光束、光束、光
７、１７、１７′、１７″    照明面
８    照明成形体
９    側面
１０    基礎面、非シグネチャー面
１２    照明ディスク
Ｈ１、Ｈ２、Ｈ３、Ｈ４、Ｈ５    ホログラム要素
ａ    間隔
ｂ    間隔
ΦＨ２、ΦＨ３、ΦＨ４、ΦＨ５    開口角
【図１】
0006684808.tif 000002
【図２】
0006684808.tif 000003
【図３】
0006684808.tif 000004
【図４】
0006684808.tif 000005